(57)【要約】【課題】本発明は木製ブロックの伸縮を効率よく吸収して、平坦性の維持や耐久性の向上を図るとともに、軽量かつ施工性がよく、滑りずらく、歩行性を良好にすることができ、かつ間伐材の有効利用を図ることができるブロック舗装を得るにある。【解決手段】スペーサを配置して木製ブロックの周囲に間隔を有するように敷設された木製ブロック層と、この木製ブロック層の木製ブロックの周囲の間隔部に充填された舗装材とでブロック舗装を構成している。【選択図】  図２
2006316508.tif 000002
【特許請求の範囲】
【請求項１】
スペーサを配置して木製ブロックの周囲に間隔を有するように敷設された木製ブロック層と、この木製ブロック層の木製ブロックの周囲の間隔部に充填された舗装材とからなることを特徴とするブロック舗装。
【請求項２】
スペーサは木製ブロックと当接する部位に、該木製ブロックの膨張を吸収することができる弾性片が設けられていることを特徴とする請求項１記載のブロック舗装。
【請求項３】
木製ブロックは木口が上下面に位置する方体を２個固定手段で固定したものであることを特徴とする請求項１、２いずれかに記載のブロック舗装。
【請求項４】
木製ブロックは木の縦断面が上面に位置するように形成された木製ブロック本体と、この木製ブロック本体の上面に凹凸形状に形成した滑り止め部とからなることを特徴とする請求項１、２いずれかに記載のブロック舗装。
【請求項５】
舗装材は植物を育成することができる植栽基盤であることを特徴とする請求項１、２、３、４いずれかに記載のブロック舗装。
【発明の詳細な説明】
【技術分野】
【０００１】
本発明は駐車場、工場構内の通路、遊歩道、公園園路、建物の屋上等に使用することができるブロック舗装に関する。
【背景技術】
【０００２】
間伐材が多く発生し、この間伐材を活用することによる再生利用の促進や環境負荷の低減に寄与できるといった観点から、様々な提案がなされているが、その一つとして木製ブロックが考えられている。
この木製ブロックは０〜５ｍｍ程度の間隔に敷設していき、目地に砂等を充填して、ブロック舗装を行っている。
【０００３】
しかし、このブロック舗装は木製ブロックの伸縮が他の材質のブロックに比べて大きく、乾燥により割れが生じて形状が変形し、平坦性や耐久性にかかわる木製ブロック同士の噛み合わせに影響を与えてしまうという欠点があった。
また、雨等でブロック舗装の表面が濡れた場合、滑りやすく、歩行性に問題があり、コストの面でも一般の舗装に比べて高価になるという欠点があった。
【特許文献１】特になし
【発明の開示】
【発明が解決しようとする課題】
【０００４】
本発明は以上のような従来の欠点に鑑み、木製ブロックの伸縮を効率よく吸収して、平坦性の維持や耐久性の向上を図るとともに、軽量かつ施工性がよく、滑りずらく、歩行性を良好にすることができ、かつ間伐材の有効利用を図ることができるブロック舗装を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はスペーサを配置して木製ブロックの周囲に間隔を有するように敷設された木製ブロック層と、この木製ブロック層の木製ブロックの周囲の間隔部に充填された舗装材とでブロック舗装を構成している。
【発明の効果】
【０００７】
以下の説明から明らかなように、本発明にあっては次に列挙する効果が得られる。
【０００８】
（１）スペーサを配置して木製ブロックの周囲に間隔を有するように敷設された木製ブロック層と、この木製ブロック層の木製ブロックの周囲の間隔部に充填された舗装材とで構成されているので、スペーサを配置することにより木製ブロックの周囲に形成される間隔で、木製ブロックの膨張を吸収することができる。
したがって、平坦性の維持や耐久性の向上を図ることができる。
【０００９】
（２）前記（１）によって、木製ブロックの周囲の間隔に充填された舗装材によって、歩行者は木製ブロックと舗装材上に靴が位置して、滑るのを効率よく阻止することができる。
【００１０】
（３）前記（１）によって、木製ブロックは間伐材を用いて形成することができるので、間伐材の有効利用を図ることができるとともに、軽量で施工性の向上を図ることができ、建物の屋上等にも使用することができる。
【００１１】
（４）請求項２は前記（１）〜（３）と同様な効果が得られるとともに、スペーサの木製ブロックと当接する部位でも、木製ブロックの膨張を吸収することができ、無理なく木製ブロックの膨張を完全に吸収することができる。
【００１２】
（５）請求項３は前記（１）〜（４）と同様な効果が得られるとともに、上面に位置する木口で滑り止めを図ることができるとともに、比較的小さな間伐材で木製ブロックを作ることができる。
【００１３】
（６）請求項４は前記（１）〜（４）と同様な効果が得られるとともに、上面の滑り止め部で滑り止めを図ることができる。
【００１４】
（７）請求項５は前記（１）〜（６）と同様な効果が得られるとともに、緑化ブロック舗装にでき、かつ植栽基盤に木製ブロックの伸縮作用によって空気を送りこむことができ、植物を効率よく育成することができる。
【発明を実施するための最良の形態】
【００１５】
以下、図面に示す実施するための最良の形態により、本発明を詳細に説明する。
【００１６】
図１ないし図１０に示す本発明を実施するための最良の第１の形態において、１は本発明のブロック舗装で、このブロック舗装１は路床２の上面に形成した路盤層３の上面あるいはこの路盤層３の上面に砂を用いて形成したサンドクッション層４の上面に、スペーサ５を配置して木製ブロック６の周囲に間隔７を有するように敷設された木製ブロック層８と、この木製ブロック層８の周囲の間隔７部に充填された舗装材としての植栽基盤９とで構成されている。
【００１７】
前記スペーサ５は図５ないし図７に示すように、合成樹脂材で形成されたもので、ベース板１０と、このベース板１０の一端部のブロック支持部１１を除く部位に、前記木製ブロック６の高さ寸法のほぼ４分の３の高さとなるように突出する木製ブロック３との当接面に複数個の弾性片１２を形成した一対の側面支持片１３、１３と、この一対の側面支持片１３、１３と前記間隔７と同じ間隔を介した部位の前記ベース板１０に前記木製ブロック６、６の角部の側面を支持できるように、該一対の側面支持片１３、１３と同じ高さに突出形成された木製ブロック６との当接面に複数個の弾性片１２を形成した角部支持片１４、１４と、前記ベース板１０の他端部の両側部を除く部位で、前記間隔７を維持できるように前記角部支持片１４、１４と同じ高さに上方へ突出形成された木製ブロック６、６の端面を支持する木製ブロック６との当接面に複数個の弾性片１２を形成した端面支持片１５、１５とで構成されている。
【００１８】
前記木製ブロック６は間伐材を用いて形成されたもので、図３および図４に示すように、間伐材の木口１６が上下面に位置する２個の正方形や長方形の方体１７、１７と、この２個の方体１７、１７を固定する上面を除く３面部位で複数本の釘１８を用いて固定した固定手段１９とで構成されている。
【００１９】
上記構成のブロック舗装１は、敷設される各木製ブロック６はスペーサ５の側面支持片１３、１３、角部支持片１４、１４および端面支持片１５、１５の弾性片１２、１２、１２、１２、１２、１２によって側面、角部および端面が位置決めされるとともに、ベース板１０上に支持されるため、上面に荷重が加わっても木製ブロック６が沈下したり、前後方向に移動するのを確実に阻止することができる。
また、木製ブロック６が膨張した場合には、スペーサ５の側面支持片１３、１３、角部支持片１４、１４および端面支持片１５、１５の複数個の弾性片１２が撓んで、その膨張を吸収することができる。
さらに、各木製ブロック６の周囲の間隔７部に充填された植栽基盤９に植えられた芝等の植物２０は、図９および図１０に示すように木製ブロック６の伸縮によって植栽基盤９内へ空気の供給ができ、効率よく芝等の植物の育成ができる。
［発明を実施するための異なる形態］
【００２０】
次に、図１１ないし図３０に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図１１ないし図１４に示す本発明を実施するための第２の形態において、前記本発明を実施するための最良の第１の形態と主に異なる点は、方体１７、１７の両側面にほぼ水平方向の凹部２１、２１、２１、２１を形成し、該凹部２１、２１、２１、２１に挿入され、接着剤で方体１７、１７を固定するバー部材２２、２２を使用した固定手段１９Ａを用いる木製ブロック６Ａを用いた点で、このような木製ブロック６Ａを用いて構成したブロック舗装１Ａにしても、前記本発明を実施するための最良の第１の形態と同様な作用効果が得られる。
なお、バー部材２２、２２は接着剤で固定することなく、嵌合で固定させたり、
複数本の釘で固定するものであってもよい。
【００２２】
図１５ないし図１８に示す本発明を実施するための第３の形態において、前記本発明を実施するための最良の第１の形態と主に異なる点は、方体１７、１７の対向面にピン挿入孔２３、２３、２３、２３を形成し、該ピン挿入孔２３、２３、２３、２３に挿入されるピン２４、２４で方体１７、１７を一体化する固定手段１９Ｂを用いる木製ブロック６Ｂを用いた点で、このような木製ブロック６Ｂを用いて構成したブロック舗装１Ｂにしても、前記本発明を実施するための最良の第１の形態と同様な作用効果が得られる。
【００２３】
図１９ないし図２２に示す本発明を実施するための第４の形態において、前記本発明を実施するための最良の第１の形態と主に異なる点は、方体１７、１７の外周部を締付けリング２５で締付けて固定する固定手段１９Ｃを用いる木製ブロック６Ｃを用いた点で、このような木製ブロック６Ｃを用いて構成したブロック舗装１Ｃにしても、前記本発明を実施するための最良の第１の形態と同様な作用効果が得られる。
なお、締付けリング２５は金属材製、合成樹脂材製のいずれでもよく、紐状やベルト形状のものであってもよい。
また、締付けリング２５の取付部位の方体１７、１７の外周部に凹部を形成し、この凹部内に締付けリングを位置させて締付け固定してもよい。
【００２４】
図２３ないし図２５に示す本発明を実施するための第５の形態において、前記本発明を実施するための最良の第１の形態と主に異なる点は、間伐材の縦断面が上面に位置するように形成した木製ブロック本体２６と、この木製ブロック本体２６の上面に形成した凹凸形状の滑り止め部２７とからなる木製ブロック６Ｄを用いた点で、このような木製ブロック６Ｄを用いて構成したブロック舗装１Ｄにしても、前記本発明を実施するための最良の第１の形態と同様な作用効果が得られる。
【００２５】
図２６ないし図３０に示す本発明を実施するための第６の形態において、前記本発明を実施するための最良の第１の形態と主に異なる点は、側面支持片１３、１３、角部支持片１４、１４および端面支持片１５、１５にそれぞれ突状の弾性片２８、２８、２８、２８、２８、２８を形成したスペーサ５Ａを用いた点で、このようなスペーサ５Ａを用いて構成したブロック舗装１Ｅにしても、前記本発明を実施するための最良の第１の形態と同様な作用効果が得られる。
なお、前記突状の弾性片２８は円錐台形状の突部２９と、この突部２９の先端中央部に一体形成された当接片３０とからなり、該当接片３０に押し圧力が作用すると、当接片３０の外周部の突部２９の先端外周部３１が弾性変形するものを用いている。
また、このような突状の弾性片２８以外にも円弧状の突起や、ゴムを用いた弾性片であってもよい。
【００２６】
なお、前記本発明を実施するための各形態では路盤層３やサンドクッション層４の上に木製ブロック層８を設けるものについて説明したが、本発明はこれに限らず、排水性路盤構造や建物の屋上等では路盤層の下部に防水処理、排水処理、防根処理等を行なってもよい。
また、前記本発明を実施するための各形態では合成樹脂材製のスペーサ５、５Ａを用いるものについて説明したが、本発明はこれに限らず、どんな材質で形成したスペーサを用いてもよい。
さらに、舗装材として植栽基盤９を用いたが、これに限らず、玉石、再生骨材、人工軽量骨材、改良土、砂等であってもよい。
【産業上の利用可能性】
【００２７】
本発明はブロックの舗装を施工する産業や、ブロック舗装材を製造する産業で利用される。
【図面の簡単な説明】
【００２８】
【図１】本発明を実施するための最良の第１の形態の平面図。
【図２】図１の２−２線に沿う拡大断面図。
【図３】本発明を実施するための最良の第１の形態の木製ブロックの斜視図。
【図４】本発明を実施するための最良の第１の形態の木製ブロックの横断面図。
【図５】本発明を実施するための最良の第１の形態のスペーサの平面図。
【図６】本発明を実施するための最良の第１の形態のスペーサの側面図。
【図７】本発明を実施するための最良の第１の形態のスペーサの正面図。
【図８】本発明を実施するための最良の第１の形態の木製ブロックの敷設状態の説明図。
【図９】本発明を実施するための最良の第１の形態の木製ブロックが収縮した状態の説明図。
【図１０】本発明を実施するための最良の第１の形態の木製ブロックが膨張した状態の説明図。
【図１１】本発明を実施するための第２の形態の平面図。
【図１２】図１１の１２−１２線に沿う拡大断面図。
【図１３】本発明を実施するための第２の形態の木製ブロックの斜視図。
【図１４】本発明を実施するための第２の形態の木製ブロックの分解斜視図。
【図１５】本発明を実施するための第３の形態の平面図。
【図１６】図１５の１６−１６線に沿う拡大断面図。
【図１７】本発明を実施するための第３の形態の木製ブロックの斜視図。
【図１８】本発明を実施するための第３の形態の木製ブロックの分解斜視図。
【図１９】本発明を実施するための第４の形態の平面図。
【図２０】図１９の２０−２０線に沿う拡大断面図。
【図２１】本発明を実施するための第４の形態の木製ブロックの斜視図。
【図２２】本発明を実施するための第４の形態の木製ブロックの分解斜視図。
【図２３】本発明を実施するための第５の形態の平面図。
【図２４】図２３の２４−２４線に沿う拡大断面図。
【図２５】本発明を実施するための第５の形態の木製ブロックの斜視図。
【図２６】本発明を実施するための第６の形態の平面図。
【図２７】図２６の２７−２７線に沿う拡大断面図。
【図２８】本発明を実施するための第６の形態のスペーサの平面図。
【図２９】本発明を実施するための第６の形態のスペーサの側面図。
【図３０】図２９の３０−３０線に沿う断面図。
【符号の説明】
【００２９】
１、１Ａ、１Ｂ、１Ｃ、１Ｄ、１Ｅ：ブロック舗装、
２：路床、                    ３：路盤層、
４：サンドクッション層、      ５、５Ａ：スペーサ、
６、６Ａ、６Ｂ、６Ｃ、６Ｄ：木製ブロック、
７：間隔、                    ８：木製ブロック層、
９：舗装材としての植栽基盤、  １０：ベース板、
１１：ブロック支持部、        １２：弾性片、
１３：側面支持片、            １４：角部支持片、
１５：端面支持片、            １６：木口、      
１７：方体、                  １８：釘、
１９、１９Ａ、１９Ｂ、１９Ｃ：固定手段、
２０：植物、            ２１：凹部、
２２：バー部材、        ２３：ピン挿入孔、
２４：ピン、            ２５：締付けリング、
２６：木製ブロック本体、２７：滑り止め部、
２８：突状の弾性片、    ２９：突部、
３０：当接片、          ３１：先端外周部。
【図１】
2006316508.tif 000003
【図２】
2006316508.tif 000004
【図３】
2006316508.tif 000005
【図４】
2006316508.tif 000006
【図５】
2006316508.tif 000007
【図６】
2006316508.tif 000008
【図７】
2006316508.tif 000009
【図８】
2006316508.tif 000010
【図９】
2006316508.tif 000011
【図１０】
2006316508.tif 000012
【図１１】
2006316508.tif 000013
【図１２】
2006316508.tif 000014
【図１３】
2006316508.tif 000015
【図１４】
2006316508.tif 000016
【図１５】
2006316508.tif 000017
【図１６】
2006316508.tif 000018
【図１７】
2006316508.tif 000019
【図１８】
2006316508.tif 000020
【図１９】
2006316508.tif 000021
【図２０】
2006316508.tif 000022
【図２１】
2006316508.tif 000023
【図２２】
2006316508.tif 000024
【図２３】
2006316508.tif 000025
【図２４】
2006316508.tif 000026
【図２５】
2006316508.tif 000027
【図２６】
2006316508.tif 000028
【図２７】
2006316508.tif 000029
【図２８】
2006316508.tif 000030
【図２９】
2006316508.tif 000031
【図３０】
2006316508.tif 000032